(57)【要約】      （修正有）【課題】需要が増加するおむつの品質を犠牲にせずに、材料の使用量を低減する。【解決手段】本発明は概して、乳児または成人用のおむつ１に関し、該おむつは、ヒトの前側骨盤領域を包むことのできる前部ＡＰと、ヒトの後側骨盤領域を包むことのできる後部ＰＰと、ヒトの骨盤領域を包むことができ、前部ＡＰの中間領域ＭＲと後部ＰＰの中間領域ＭＲとを長手方向に垂直に連結する中央部ＣＰと、を備える。【選択図】図１
2017159011.tif 000002
【特許請求の範囲】
【請求項１】
乳児および成人用のおむつ（１）であって、
ヒトの前側骨盤領域を包むことのできる前部（ＡＰ）と、
ヒトの後側骨盤領域を包むことのできる後部（ＰＰ）と、
ヒトの骨盤領域を包むことができ、前記前部（ＡＰ）の中間領域（ＭＲ）と後部（ＰＰ）の中間領域（ＭＲ）とを長手方向に垂直に連結する中央部（ＣＰ）と、
を備え、
前記前部（ＡＰ）は、長手方向（Ｌ）に配設された連続直線状の１群の弾性帯を有する少なくとも１層の不織部（ＡＰ１、ＡＰ２）を備え、前記１群の弾性帯が不織部（ＡＰ１、ＡＰ２）に埋め込まれ、
前記後部（ＰＰ）は、長手方向（Ｌ）に配設された連続曲線（１２−Ｃ）および直線（１２−Ｒ）状の少なくとも１つの弾性帯を有する少なくとも１層の不織部（ＰＰ１）と、対称的に長手方向（Ｌ）に配設された連続線状の少なくとも１つの弾性帯を有する少なくとも１層の不織部（ＰＰ２）と、を備え、前記弾性帯が前記不織部（ＰＰ１、ＰＰ２）に埋め込まれている、おむつ。
【請求項２】
前記おむつ（１）の前記連続曲線（１２−Ｃ）弾性帯は、筋肉群大臀筋の横側（ＧＭ−Ｌ）に配置され着用される、請求項１に記載のおむつ（１）。
【請求項３】
前記おむつ（１）の前記連続直線（１２−Ｒ）弾性帯は、筋肉群大臀筋（ＧＭ）に配置され着用される、請求項１に記載のおむつ（１）。
【請求項４】
前記不織部（ＡＰ１）および前記不織部（ＰＰ１）は、連続不織シート（４０）から得られる、請求項１に記載のおむつ（１）。
【請求項５】
前記連続不織シート（４０）において、前記不織部（ＰＰ１）の幅（ＷＰＰ１）が前記不織部（ＡＰ１）の幅（ＷＡＰ１）より広い、請求項４に記載のおむつ（１）。
【請求項６】
前記不織部（ＡＰ２）および前記不織部（ＰＰ２）は、連続不織シート（４２）から得られる、請求項１に記載のおむつ（１）。
【請求項７】
前記連続不織シート（４２）において、前記不織部（ＰＰ２）の幅（ＷＰＰ２）が前記不織部（ＡＰ２）の幅（ＷＡＰ２）より広い、請求項６に記載のおむつ（１）。
【請求項８】
前記不織シート（４０）は、前記不織シート（４２）よりも幅が広い、請求項４〜７のいずれか１項に記載のおむつ（１）。
【請求項９】
前記不織部（ＡＰ１）は、弾性帯を備えていない、請求項４または５に記載のおむつ（１）。
【請求項１０】
前記不織部（ＰＰ１）は、長手方向（Ｌ）に配設され、不織シート（４０）の切断線（ＣＬ）近傍に配置される、連続曲線（１２−Ｃ）および直線（１２−Ｒ）から成る少なくとも１つの弾性帯を有する、請求項４または５に記載のおむつ（１）。
【請求項１１】
前記不織部（ＡＰ２）および前記不織部（ＰＰ２）は、前記不織シート（４２）の前記切断線（ＣＬ）から離れて長手方向（Ｌ）に配設された連続線状の少なくとも１つの弾性帯を有する、請求項６に記載のおむつ（１）。
【請求項１２】
前記不織シート（ＰＰ、ＡＰ）は、前記幅方向軸（Ｗ）に沿って、接着手段、熱シール、超音波シール（５０）、またはそれらの組み合わせによって連結される、請求項１に記載のおむつ（１）。
【請求項１３】
前記連続曲線（１２−Ｃ）および直線（１２−Ｒ）は、正弦波に類似する、請求項１に記載のおむつ（１）。
【発明の詳細な説明】
【技術分野】
【０００１】
本発明は概して、ヒトの前側骨盤領域を包むことのできる前部と、ヒトの後側骨盤領域を包むことのできる後部と、ヒトの骨盤領域を包むことができ、前部の中間領域と後部の中間領域とを長手方向に垂直に連結する中央部と、を備える乳児および成人用のおむつに関する。
【背景技術】
【０００２】
おむつは、乳児および成人の排泄物を処理する、着用可能な形の家庭用トイレを提供することがよく知られている。人口の増加につれ、おむつの需要が劇的に増加しつつある。その結果、おむつメーカーは、おむつの品質を犠牲にせずに、材料の使用量を低減するという難題に直面している。よって、本発明は、従来のおむつよりも少量の材料を使用するおむつを教示する。
【発明の概要】
【０００３】
したがって、本発明の第１の目的は、材料を節約するおむつを提供する。
本発明の別の目的は、おむつの後部に配置される１群の正弦波状弾性帯を提供することである。
【０００４】
本発明の好適な実施形態によると、以下の構成要素が提供される。
乳児および成人用のおむつ（１）であって、
ヒトの前側骨盤領域を包むことのできる前部（ＡＰ）と、
ヒトの後側骨盤領域を包むことのできる後部（ＰＰ）と、
ヒトの骨盤領域を包むことができ、前記前部（ＡＰ）の中間領域（ＭＲ）と後部（ＰＰ）の中間領域（ＭＲ）とを長手方向に垂直に連結する中央部（ＣＰ）と、
を備え、
前部（ＡＰ）は、長手方向（Ｌ）に配設された連続直線状の１群の弾性帯を有する少なくとも１層の不織部（ＡＰ１、ＡＰ２）を備え、１群の弾性帯が部分（ＡＰ１、ＡＰ２）に埋め込まれ、
後部（ＰＰ）は、長手方向（Ｌ）に配設された連続曲線（１２−Ｃ）および直線（１２−Ｒ）状の少なくとも１つの弾性帯を有する少なくとも１層の不織部（ＰＰ１）と、対称的に長手方向（Ｌ）に配設された連続線状の少なくとも１つの弾性帯を有する少なくとも１層の不織部（ＰＰ２）と、を備え、弾性帯が部分（ＰＰ１、ＰＰ２）に埋め込まれている。
【図面の簡単な説明】
【０００５】
本発明の他の側面およびそれらの利点は、添付図面と併せて詳細な説明を検討することで認識されるであろう。
【０００６】
【図１】図１は、本発明の例示的前面図である。
【図２】図２は、おむつに貼付されるＳ状弾性帯の例示的前面図である。
【図３Ａ】図３Ａは、大臀筋群の側面に重ねられるＳ状弾性帯の部分を示す。
【図３Ｂ】図３Ｂは、大臀筋群全体に重ねられるＳ状弾性帯の部分を示す。
【図４Ａ】図４Ａは、Ｓ状弾性帯が不織シートに作製されている例示的前面図である。
【図４Ｂ】図４Ｂは、１群の直線弾性帯が不織シートに作製されている例示的前面図である。
【図４Ｃ】図４Ｃは、図４Ａの不織シートと図４Ｂの不織シートが位置合わせされている例示的前面図である。
【図４Ｄ】図４Ｄは、直線弾性帯を備える不織シートとＳ状弾性帯を備える不織シートが合体されている例示的前面図である。
【図４Ｅ】図４Ｅは、合体不織シートが切断線で切断されている前面図である。
【図４Ｆ】図４Ｆは、Ｓ状弾性帯外の超過領域が除去されているＰＰ（後部）の合体不織シートの前面図である。
【図４Ｇ】図４Ｇは、Ｓ状弾性帯外の超過領域が除去されているＰＰ（後部）およびＡＰ（前部）の合体不織シートの前面図である。
【図４Ｈ】図４Ｈは、複数の中央部がＰＰ（後部）およびＡＰ（前部）に配置／連結され、ＰＰおよびＡＰの外縁が相互に位置合わせされ接触している前面図である。
【図４Ｉ】図４Ｉは、（ｉ）ＰＰおよびＡＰ縁の幅方向軸に沿った接着手段、熱シール、または超音波シール、および（ｉｉ）幅方向軸上の切断線に沿った切断工程に先立ち、合体不織シート後部（ＰＰ）および前部（ＡＰ）が吸収材を有する中央部（ＣＰ）と連結されておむつを形成する拡大上面図である。
【図５Ａ】図５Ａは、本発明の側面図である。
【図５Ｂ】図５Ｂは、本発明の上面図である。
【発明を実施するための形態】
【０００７】
図面の詳細な説明
以下の詳細な説明では、本発明を完全に理解してもらうために、具体的な細部を多数記載する。しかしながら、当業者であれば、これらの具体的な細部がなくても本発明を実行できることを理解するであろう。他の例では、本発明を曖昧にしないように、周知の方法、手順、および／または構成要素は詳細に説明しない。
【０００８】
本発明は、等縮尺ではない添付図面を参照して例示される、以下の本発明の実施形態からより明確に理解されるであろう。
【０００９】
おむつ製造に関する本開示全体を通じて、おむつ不織シートは、複数のローラによって搬送される間、引張力を受ける。引張力はローラ間の速度を操作することによって調節可能である。ローラ速度を瞬間的に上昇させると、不織シートの引張力は増大し、ローラ速度を瞬間的に低下させると、不織シートの引張力は逆に減少する。弾性帯の装着、接着剤の塗布、不織シートの位置合わせ、熱シールの適用は、不織シートが引張力下にある間に実行される。
【００１０】
図１は、例示的な乳児および成人用のおむつを示す。おむつ（１）は、ヒトの前側骨盤領域を包むことのできる前部（ＡＰ）と、ヒトの後側骨盤領域を包むことのできる後部（ＰＰ）と、ヒトの骨盤領域を包むことができ、前部（ＡＰ）の中間領域（ＭＲ）と後部（ＰＰ）の中間領域（ＭＲ）とを長手方向に垂直に連結する中央部（ＣＰ）と、を備える。
【００１１】
図２に示すように、例示的な弾性帯（１２）は、連続曲線（１２−Ｃ）および直線（１２−Ｒ）において正弦波に類似し、おむつ（１）、好ましくは後部（ＰＰ）に配置され、長手方向（Ｌ）に配設される。図３Ａおよび３Ｂが示すように、おむつ（１）の連続曲線（１２−Ｃ）弾性帯は、筋肉群大臀筋の横側（ＧＭ−Ｌ）に配置され着用される。おむつ（１）の連続直線（１２−Ｒ）弾性帯は、筋肉群大臀筋（ＧＭ）に配置され着用される。
【００１２】
図４Ａは、不織シート（４０）に正弦波状の弾性帯（１２）を作製する例を示す。不織シート（４０）は固定幅（Ｗ１）と可変長（Ｌ）を有する。シート（４０）は、シート（４０）の長手方向軸に沿った点線で仕切られる切断線（ＣＬ）を有する。シート（４０）は切断線（ＣＬ）によって２つの部分、すなわち、不織後部１（以下ＰＰ１と称する）および不織前部１（以下ＡＰ１と称する）に分割され、好ましくは幅ＰＰ１（ＷＰＰ１）が幅ＡＰ１（ＷＡＰ１）よりも広い。不織部（ＰＰ１）は、長手方向（Ｌ）に配設され、不織シート（４０）の切断線（ＣＬ）近傍に配置される、連続曲線（１２−Ｃ）および直線（１２−Ｒ）から成る少なくとも１つの弾性帯を有する。両部分ＰＰ１およびＡＰ１は連続不織シート（４０）から得られる。
【００１３】
そのうえ、不織部ＰＰ１の表面には、少なくとも１つの弾性接着アプリケータ手段（１５）によって少なくとも１つの連続曲線（１２−Ｃ）および直線（１２−Ｒ）弾性帯が貼付される。弾性接着アプリケータ手段（１５）は、帯（１２）から成る領域の周囲に接着剤を塗布する。部分ＡＰ１は弾性帯を含んでいない。
【００１４】
図４Ｂは、１群の直線弾性帯（１１）が複数の弾性接着アプリケータ手段（１５）によって不織シート（４２）上に作製される例示的前面図である。シート（４２）は、切断線（ＣＬ）によって２つの部分、すなわち、不織後部２（以下ＰＰ２と称する）と不織前部２（以下ＡＰ２と称する）に分割され、好ましくは、幅ＰＰ２（ＷＰＰ２）が幅ＡＰ２（ＷＡＰ２）よりも広い。弾性接着アプリケータ手段（１５）は接着剤と弾性帯の両方に同時に適用することができ、接着剤が弾性帯（１１）の周囲に塗布される。不織部（ＡＰ２）および不織部（ＰＰ２）は、不織シート（４２）の切断線（ＣＬ）から離れて、対称的に長手方向（Ｌ）に配設された連続直線状の少なくとも１つの弾性帯を有する。また、不織シート（４２）は固定幅（Ｗ２）と可変長（Ｌ）を有する。ここでも、好ましくは、ＰＰ２は、ＡＰ２の幅（ＷＡＰ２）よりも広い幅（ＷＰＰ２）を有する。しかしながら、不織シート（４２）は、不織シート（４０）の幅（Ｗ１）に比べて狭い幅（Ｗ２）を有する。
【００１５】
図４Ｃは、不織シート（４０）と不織シート（４２）とが切断線（ＣＬ）によって位置合わせされる例示的前面図である。この作製前に、接着剤が両不織シート（４０、４２）に塗布されて、両シートを貼り合わせまたは融着させ、融着方向はブロック矢印で示される。次に、不織シート（４０、４２）が切断線（ＣＬ）で位置合わせされた後、両シート（４０、４２）が貼り合わされる。
【００１６】
図４Ｄおよび４Ｅは、正弦波状の弾性帯（１２）を有する少なくとも１層の後部１（ＰＰ１）と、弾性帯を有していない少なくとも１層の前部１（ＡＰ１）とを備える不織シート（４０）の例示的前面図である。したがって、前部（ＡＰ）は、長手方向（Ｌ）に配設された連続線状の１群の弾性帯を有する少なくとも１層の不織シート（ＡＰ１、ＡＰ２）を備え、１群の弾性帯が層（ＡＰ１、ＡＰ２）に埋め込まれている。
【００１７】
一方、不織シート（４２）は、少なくとも１層の後部２（ＰＰ２）と、直線弾性帯（１１）を有する少なくとも１層の前部２（ＡＰ２）とを備える。したがって、後部（ＰＰ）は、長手方向（Ｌ）に配設された連続曲線（１２−Ｃ）および直線（１２−Ｒ）状の少なくとも１つの弾性帯を有する少なくとも１層の不織部（ＰＰ１）と、長手方向（Ｌ）に配設された連続線状の少なくとも１つの弾性帯を有する少なくとも１層の不織部（ＰＰ２）と、を備え、弾性帯が部分（ＰＰ１、ＰＰ２）に埋め込まれている。
【００１８】
図４Ｅでは、合体不織シート（４０、４２）が切断線（ＣＬ）に沿って切断手段によって分離されることによって、ＰＰ１およびＰＰ２を備える不織後部（ＰＰ）とＡＰ１およびＡＰ２を備える不織前部（ＡＰ）とを形成する。
【００１９】
図４Ｆは、ＰＰ（後部）の合体不織シートの前面図であり、Ｓ状弾性帯（１２）外の超過領域（ｘ）が除去されている。図４Ｇは、Ｓ状弾性帯（１２）外の超過領域（ｘ）が除去された後のＰＰ（後部）およびＡＰ（前部）の合体不織シートの前面図である。
【００２０】
図４Ｈは、複数の中央部（ＣＰ）が接着手段によって、ＰＰ（後部）の中間領域およびＡＰ（前部）の中間領域と長手方向に垂直に配置／連結されている前面図である。
【００２１】
長手方向軸（Ｌ）に沿ったＰＰ（ＰＰＬ）およびＡＰ（ＡＰＬ）の最外縁は、相互に位置合わせされ接している。次いで、接着手段、熱シール、超音波シール（５０）、またはそれらの組み合わせが適用されて腰寸法（ＷＳ）に応じて幅方向軸（Ｗ）上でＰＰおよびＡＰの両方を連結する。切断手段は、腰寸法（ＷＳ）に応じて、切断線（ＣＬ）の幅方向軸に沿っておむつを分離する。
【００２２】
図４Ｉは、（ｉ）ＰＰおよびＡＰ縁の幅方向軸（Ｗ）上の接着手段、熱シール、または超音波シール（５０）、ならびに（ｉｉ）幅方向軸（Ｗ）上の切断線（ＣＬ）に沿った切断工程に先立ち、合体不織シート後部（ＰＰ）および前部（ＡＰ）が吸収材を有する中央部（ＣＰ）と連結されておむつ（１）を形成する拡大上面図である。
【００２３】
図５Ａは、合体不織シートの後部（ＰＰ）および前部（ＡＰ）が、吸収材を有する中央部（ＣＰ）と連結されておむつ（１）を形成する側面図である。中央部（ＣＰ）は、ヒトの骨盤領域を包むことができ、長手方向に垂直に前部（ＡＰ）の中間領域（ＭＲ）と後部（ＰＰ）の中間領域（ＭＲ）とを連結する。図５Ｂを参照すると、不織シート（ＰＰ、ＡＰ）は、接着手段、熱シール、超音波シール、またはそれらの組み合わせにより幅方向軸（Ｗ）に沿って連結されて、おむつ（１）を着用可能とする。
【００２４】
本発明によって得られる成果と従来技術を超える利点を表す好適な実施形態と考えられるものに関して本発明を図示および記載したが、本発明はこれらの具体的な実施形態に限定されない。よって、本明細書に図示および記載した形式は単に例示であると解釈すべきであり、添付の請求項に説明される本発明の範囲を逸脱することなく、他の実施形態を選択することができる。
【図１】
2017159011.tif 000003
【図２】
2017159011.tif 000004
【図３Ａ】
2017159011.tif 000005
【図３Ｂ】
2017159011.tif 000006
【図４Ａ】
2017159011.tif 000007
【図４Ｂ】
2017159011.tif 000008
【図４Ｃ】
2017159011.tif 000009
【図４Ｄ】
2017159011.tif 000010
【図４Ｅ】
2017159011.tif 000011
【図４Ｆ】
2017159011.tif 000012
【図４Ｇ】
2017159011.tif 000013
【図４Ｈ】
2017159011.tif 000014
【図４Ｉ】
2017159011.tif 000015
【図５Ａ】
2017159011.tif 000016
【図５Ｂ】
2017159011.tif 000017
【外国語明細書】
2017159011000001.pdf